Podtech/llm-jp-corpus-v4-ja_patent huggingface dataset:
(57)【要約】【課題】蓄電システムにおいて設計仕様を超える充放電動作の発生を防止する。【解決手段】蓄電システムにおいて、架線電圧の低下により放電を開始する電圧（放電開始電圧Ｖｄ０）を、架線電圧の時間平均電圧Ｖave−降下許容電圧Ｖpmsとすることにより、長時間架線電圧が低下し続けた場合、Ｖaveが徐々に低下することから、放電開始電圧Ｖｄ０も同時に低下し、Ｖｄ０がＶaveを下回ると自動的に放電を停止するため、仕様外の長時間放電を防止することができる。【選択図】図１
2009273218.tif 000002
【特許請求の範囲】
【請求項１】
変電所間に設置され、架線電圧の低下時には蓄電装置から電力を補償し、該架線電圧の上昇時には該蓄電装置へ電力を吸収する鉄道用き電設備において、該架線電圧の平均電圧の変化に伴い放電開始電圧が変動し、仕様規定外の連続放電動作を防止することを特徴とする蓄電システム。
【発明の詳細な説明】
【技術分野】
【０００１】
本発明は、設計仕様を超える充放電動作による装置の過熱を防止する蓄電システムに関するものである。
【背景技術】
【０００２】
蓄電システムは、電気鉄道における電力供給のための地上設備として、変電所から遠く離れた場所など、電圧降下により列車の運行に支障がある地点に設置することで、定常時は架線から電力の供給を受け、蓄電しておき、列車が通過する際の電圧降下発生時に放電することで架線電圧を補償する。
【０００３】
また、列車稠密区間において、列車が回生しながら通過する際に電力を蓄電して架線電圧の跳ね上がりを抑制し、定常時に少しづつ放電することで、電力を有効に利用できる利点があるので、変電所間隔が長く電圧降下が著しい区間や、列車運行密度が高く、架線電圧変動が大きな区間などで実用に供されている。
【０００４】
通常、蓄電システムは、架線電圧が通常の電圧範囲を逸脱するのを防ぐために充放電動作をおこなうので、列車ダイヤが大幅に乱れ、一度に数多くの列車が走行した場合などでは、設計仕様を上回る電力が充放電され、システムが過熱し、保護動作により停止してしまうという可能性があった。
また、ダイヤが正常な場合であっても、深夜・早朝とラッシュ時間帯では最適な充放電開始電圧が必ずしも一致せず、同じ設定とした場合には、深夜・早朝は充電量が、ラッシュ時間帯では放電量が過大に大きくなりがちである。この両方に対応するため、許容する架線電圧の範囲を拡大すると、架線電圧の変動量が大きくなってしまうという問題があった。
【特許文献１】公開2005−278366公報
【発明の開示】
【発明が解決しようとする課題】
【０００５】
解決しようとする問題点は、列車ダイヤの乱れ等により架線の平均電圧が大きく変動した場合には、蓄電システムが過熱し、システムが停止してしまう可能性がある点にある。
【課題を解決するための手段】
【０００６】
請求項１の発明によれば、架線電圧低下時には蓄電装置から電力を補償し、架線電圧上昇時には蓄電装置へ電力を吸収する、変電所間に設置された鉄道用き電設備であって、架線平均電圧の変化に伴い放電開始電圧が変動し、想定外の連続放電動作を防止できることを特徴とする。
【０００７】
すなわち、架線の平均電圧に応じて最適な充放電開始電圧を自動的に可変することで、仕様外の連続充放電を防止することを最も主要な特徴とする。
【発明の効果】
【０００８】
本発明の蓄電システムは、架線平均電圧の変動に対応して充放電開始電圧を可変するため、負荷変動にあわせて自動的に最適な充放電開始電圧を設定でき、設置場所毎に充放電開始電圧の微調整をする必要がない。よって、仕様外の過大な充放電を抑制した上で架線電圧安定化の効果を最大化できるという利点がある。
【発明を実施するための最良の形態】
【０００９】
１日の負荷変動が大きく、放電開始電圧の設定が難しい場所での使用、或いはダイヤが乱れ、架線電圧が通常よりも大幅に低下するという条件において、蓄電システムを安全に使用するという目的を現地での微調整をすることなく実現した。
【実施例１】
【００１０】
図１は、本発明装置の１実施例において、架線電圧に対する蓄電システム充放電電流を示した図である。
【００１１】
架線電圧VLに対してある時定数τで追従する値を架線平均電圧Vaveとし、放電開始電圧をVL-Vave=200Vであるとする。
【００１２】
通常時、架線平均電圧Vaveが1500Vであった場合、架線電圧VLが1300V以下に低下すると、蓄電装置から架線へ放電を開始し、架線電圧が1300Vを上回ると放電を停止する。
【００１３】
ラッシュ時間帯などで負荷が大きく、架線平均電圧Vaveが1400Vであった場合、架線電圧VLは1300Vとなっても放電を開始せず、1200V以下に低下してはじめて、蓄電装置から架線へ放電を開始し、架線電圧が1300Vを上回ると放電を停止する。この動作により、蓄電システムの動作頻度を通常時と比較して同等レベルに抑え、不要な放電動作を抑止できる。
【００１４】
また、ダイヤの乱れなどにより、通常の架線平均電圧1500Vの状態であった状況が急変し、継続的に放電開始電圧以下となった場合、放電初期は放電動作を継続するが、時定数τだけ時間が経過すると、架線電圧VLが放電開始電圧以下となるため、放電動作は停止する。
よって、許容最大連続放電時間≦時定数τとすることにより、想定外の連続放電を防止することが可能である。
【産業上の利用可能性】
【００１５】
放電開始電圧を架線平均電圧の変化にあわせて自動的に変化させることで、現地での微調整をすることなく、路線上の任意の場所へ安全に蓄電システムを設置することが可能となる。
【図面の簡単な説明】
【００１６】
【図１】蓄電システムの実施方法を示した説明図である。（実施例１）
【図１】
2009273218.tif 000003
(57)【要約】  【課題】油溜め部に入れた潤滑油の油面を適正に保ち，良好な潤滑性能を持った軸受け構造を備える車両用電動機を提供することにある。【解決手段】車両の台車内に据え付けられている主電動機に有する、軸受周り構造の油溜め部の内部に設置した，水平方向且つ平行に複数枚の仕切り板は、等間隔に空けられた複数の穴を持つ板または金網により形成され，その隣り合う仕切り板の穴は互いにずれて設置されていることにより潤滑油の油面を適正に保ち，軸受けの潤滑を良好な状態にし，主電動機を常に良好な条件で運転する。【選択図】図１
2009273269.tif 000002
【特許請求の範囲】
【請求項１】
車両の台車内に据え付けられている主電動機において、軸受の潤滑に潤滑油を使用する軸受周り構造を備える該主電動機であって、該軸受周り構造に備えられる該潤滑油を溜めるための油溜め部に，水平方向かつ互いに平行に設置された複数枚の仕切り板を備え，隣り合う該仕切り板に明けられた複数の穴が互い違いに設けられていることを特徴とする車両用主電動機の軸受構造。
【発明の詳細な説明】
【技術分野】
【０００１】
本発明は，車両用主電動機に係わり，軸受の潤滑のために潤滑油を使用する軸受周り構造に関するものである。
【背景技術】
【０００２】
車両用主電動機は，車両の台車部に設置されているため，車両の走行中は常に振動を受けており、油溜め部に入れられている潤滑油の油面は振動により上下に変動している。図２はその従来の一例を示す説明図であり，１は軸受，２は軸受箱，３は軸受ふた，４，５は軸受け押え，６は掻揚げ円板，７は油溜め部，８は潤滑油である。
【特許文献１】特開２００３−３２９４６公報
【発明の開示】
【発明が解決しようとする課題】
【０００３】
しかしながら，このような手段では，次のような課題があった。軸受の中に流れ込む潤滑油の量は一定量に近く保つことが望ましいが，車両の走行に伴う振動により，軸受部に入れられている潤滑油が揺すられ，油面が一定量に近く保つことができないことがある。
このため，掻揚げ円板により掻揚げられる潤滑油の量が適正量とならず，油面が低くなった場合は潤滑油不足となり，油面が高くなりすぎると軸受の中に必要以上に流れ込んだ潤滑油により攪拌熱が発生し，軸受部の温度が上昇して潤滑油の寿命の低下を招いたり，軸受の損傷に繋がる場合がある。これを解消するためには，油溜め部に，潤滑油の油面の変動を抑える構造を設ける必要がある。本発明は，上述した点に鑑みて創案されたもので，その目的とするところは，油溜め部に入れた潤滑油の油面を適正に保ち，良好な潤滑性能を持った軸受け構造を備える車両用電動機を提供することにある。
【課題を解決するための手段】
【０００４】
つまり，その目的を達成するための手段は，車両の台車内に据え付けられている主電動機において、軸受周り構造の油溜め部の内部に、水平方向且つ平行に複数枚の仕切り板を設置する。その仕切り板は，等間隔に空けられた複数の穴を持つ板または金網により形成され，隣り合う仕切り板の穴は互いにずれて設置されているものである。
【発明の効果】
【０００５】
本発明によれば，油溜め部に設置された仕切り板により、油溜め部の油面を適正に保つことができ，軸受けの潤滑が良好な状態で運転することができるため，実用上極めて有用性の高いものである。
【発明を実施するための最良の形態】
【０００６】
図１は本発明の一実施例を示す説明図である。
【実施例１】
【０００７】
図１において，９は仕切り板である。図３及び４は，隣り合う仕切り板９の配置を示している。なお，図２と同符号のものは，同じ構成，機能を有する部分である。図１において，鉄道車両の台車に据え付けられている主電動機に備え付けられている油潤滑の軸受周り構造の油溜め部７において，仕切り板９が，油溜め部７内の潤滑油８の油面が大きく変動しない役目を果たしている。また，隣り合う仕切り板９を互い違いに配置することで，油の動きを抑制することができる。
【０００８】
以上のごとく構成された主電動機において，仕切り板９により，油溜め部７の中に入れられた潤滑油８の油面が適正に保たれ，掻揚げ円板６により掻揚げられる潤滑油８の量が適正に保たれることで，軸受１の潤滑が良好な状態で運転することができる。
【図面の簡単な説明】
【０００９】
【図１】本発明の実施例を示す説明図である。
【図２】従来の一例を示す説明図である
【図３】隣り合う仕切り板の配置を示す説明図である。
【図４】隣り合う仕切り板の配置を示す説明図である。
【符号の説明】
【００１０】
１    軸受
２    軸受箱
３    軸受ふた
４    軸受け押え
５    軸受け押え
６    掻揚げ円板
７    油溜め
８    潤滑油
９    仕切り板
【図１】
2009273269.tif 000003
【図２】
2009273269.tif 000004
【図３】
2009273269.tif 000005
【図４】
2009273269.tif 000006
(57)【要約】【課題】  圧電素子を用いて小型、薄型でありながら発生電圧が高く、発生電荷量も大きく、かつ信頼性の高い発電装置を提供すること。【解決の手段】  基板１に貼り付けられた圧電素子２の略中央部に接触するように、片端部が固定された印圧板３の一部に突起４を設け、てこの原理を応用して小さな加圧で大きな荷重を得るようにした圧電発電装置。【選択図】図１
2009273340.tif 000002
【特許請求の範囲】
【請求項１】
基板上に貼り付けられた圧電素子と基板の片端部に固定された印圧板からなり、圧電素子の略中央部を押し当てられるように印圧板に突起部を設けた圧電発電装置。
【請求項２】
請求項１において、印圧板がくの字状に曲げられた構造を有し、荷重を加えてたわませた際に、印圧板の端部が基板に接触してそれ以上に変形しないよう、ストッパー機能を備えた圧電発電装置。
【請求項３】
請求項１において開放されている片端部の基板上または印圧板の一部に突起部を設けストッパー機能を持たせた圧電発電装置。
【請求項４】
請求項１，２，３において使用する圧電素子の厚さが０．５ｍｍ以上である圧電発電装置。
【請求項５】
請求項１，２，３において使用する圧電素子は積層構造からなり、全体の厚さが０．５ｍｍ以上である圧電発電装置。
【発明の詳細な説明】
【技術分野】
【０００１】  本発明は圧電素子を用いた発電装置に係り、小型、特に薄型でありながら高い発生電圧および大きな発生電荷量を提供する圧電発電装置に関する発明である。
【背景技術】
【０００２】  発電電荷量を増大させるために、従来用いられていた方法は、圧電素子を限りなく薄くし、面積を大きくすることであった。発電電荷量は圧電素子の厚みに反比例し面積に比例するからである。【０００３】  従来、圧電発電装置は発光ダイオード（ＬＥＤ）と組み合わせマットの中に仕組んで足踏みすると発光させたり、高速道路の振動を利用して、イルミネーションを点灯させるなどに応用されてきた。
【発明の開示】
【発明が解決しようとする課題】
【０００４】  従来考えられていた応用、例えば足踏みマットや振動を利用した圧電発電装置では圧電素子の面積は大きい方が望ましいことが多かった。また厚みは可能な限り薄くすることが望ましかった。しかし携帯用など移動体に用いようとする場合、面積が大きいことは実装上障害となることが多い。【０００５】  携帯用など小型化が要請される用途には発生電荷量を大きくするために面積の拡大ではなく、圧電素子の厚さを０．１ｍｍ以下にする努力が払われている。しかしながら、セラミックである圧電素子を薄くすることは作業性が悪く破損事故不良を多発させてしまう恐れがある。さらにＬＥＤを複数個シリーズに接続して発光させる場合、発生電圧が低いと点灯しなくなる不具合が発生する。この場合、圧電素子の厚さに比例するためこのような用途には逆行することになる。
【課題を解決するための手段】
【０００６】  本発明は、このような課題を解決するために、従来の考え方に反して小面積で０．５ｍｍ以上もある圧電素子を用いながら発生電荷量を上げ、高い発生電圧を得るために大きな荷重を加える構造を検討した。ただし加える力を出来るだけ軽減するためにてこの原理を導入した。この結果、小型薄型でありながら、ＬＥＤを多数個シリーズに接続しても十分な発光力が得られる圧電発電装置が提供できる。
【発明の効果】
【０００７】  本発明では、基板に貼り付けられた圧電素子に曲げ応力を与え、圧縮応力または引っ張り応力を発生させている。この応力に比例して発生電圧が高くなり、また発生電荷量も比例して大きくなる。さらに３点曲げ構造を利用すれば指先で押す力を体重をかけた値にまで増大させることが可能となる。この結果従来の課題であった問題を一気に解決させたものである。【０００８】  本装置で発生した電気エネルギーを直接ＬＥＤに接続して発光させることや電卓、携帯機器に接続して電源として利用出来るのは当然であるが、コンデンサや二次電池に充電しておくことも可能である。
【発明を実施するための最良の形態】
【０００９】以下、本発明の実施の形態について図面に基づいて説明する。【００１０】  図１は本発明の請求項１について発明の一実施例を示すブロック図である。１は銅張りガラス・エポシシからなる厚さ１ｍｍからなる基板。２は厚さ０．６ｍｍからなる圧電素子。３は厚さ０．５ｍｍのステンレスからなる印圧板。４は絶縁処理を施したアルミニウムからなる突起物で、印圧時に圧電素子の略中央部に接触するように配置してある。【００１１】  図２は本発明の請求項３について発明の一実施例を示すブロック図である。
５は印圧板３がそれ以上たわまないようにしたストッパー５である。【００１２】  図３はスニーカー・シューズに圧電発電装置と３０個のＬＥＤを装着した状況を示した。歩行することにより、踵で圧電発電装置６を押すことによりＬＥＤ７はすべて十分な発光を示した。【００１３】  以上述べた如く本発明によれば、スニーカーの靴底に装着しても全く違和感のない薄さ、大きさでＬＥＤを多数個高発光で光らすことが可能な圧電発電装置を提供することが可能になる。
【図面の簡単な説明】
【００１４】
【図１】  本発明の実施例を示すブロック図
【図２】  本発明の実施例の中でストッパーを設けたブロック図
【図３】  本発明の応用例を示す概略図
【符号の説明】
【００１５】  １  基板
２  圧電素子
３  印圧板
４  突起物
５  ストッパー
６  圧電発電装置
７  ＬＥＤ
【図１】
2009273340.tif 000003
【図２】
2009273340.tif 000004
【図３】
2009273340.tif 000005
(57)【要約】【課題】パンゲア大陸を分裂させた物は何か。【解決手段】南アメリカからアフリカ大陸が分裂した。北アメリカからはヨーロッパ大陸が分裂した。この２つの場所に近い所に、隕石が落下したと考えられる。この場所は、メキシコ湾とカリブ海である。メキシコ湾は大きい。これを作った力はとても大きかった。メキシコ湾は隕石の落下によりできた。カリブ海の周囲には、大アンテイル諸島と小アンテイル諸島が存在する。これは、隕石が落下した時にできた。パンゲア大陸を分裂させた物はメキシコ湾とカリブ海に落下した隕石の衝撃波です。【選択図】  図１
2009273361.tif 000002
【特許請求の範囲】
【請求項１】
パンゲア大陸を分裂させたのは、メキシコ湾に落下した隕石である。この衝撃波でパンゲア大陸は分裂した。メキシコ湾は隕石が落下してできた湾です。メキシコ湾は隕石が落下してできたので、湾の形は丸型になっている。
【請求項２】
パンゲア大陸を分裂させたのは、カリブ海に落下した隕石である。この衝撃波でパンゲア大陸は分裂した。カリブ海の周囲には、大アンテイル諸島と小アンテイル諸島が存在する。これは、カリブ海の中心に隕石が落ちて、できた島です。
【請求項３】
メキシコ湾とカリブ海は、南アメリカからアフリカ大陸が分裂した場所に近い。それで、隕石が落下した時の衝撃波の力は強く作用した。
【請求項４】
・グリーンランドの東部沿岸線はギザギザになっている。これは、この部分から何かが分裂したことを物語る。スカンデイナヴィア半島の北西部の沿岸線はギザギザになっている。このことから、グリーンランドの東部からスカンデイナヴィア半島は分離した事が理解できる。
・アイルランド島とグレートブリテン島はグリーンランドの南部から分裂した。
・フランスの西部とスペインの北部はアイスランドがあった、現在は、ニューファンドランド島の東部から分裂した。
・アフリカ大陸は、南アメリカから分裂した。
・バハカルフォルニヤ半島が分裂した。
【請求項５】
・スエズ湾ができた。
・アフリカ大陸の東部に存在したスマトラ半島やジャワ島やボルネオ島やスラウエン島は分裂した。
【発明の詳細な説明】
【技術分野】
【０００１】
この発明は、パンゲア(超大陸)はどのように分裂したかに関するものである。
【背景技術】
【０００２】
地球は1つのパンゲア大陸であった。
【０００３】
拡大する太洋低や移動する大陸は厚さ70〜200Kmのプレートであるとするプレートテクトニクスが提唱された。
【先行技術文献】
【非特許文献】
【０００４】
【特許文献１】特願2009−165179
【特許文献２】特願2009−168464
【特許文献３】特願2009−170811
【特許文献４】特開2002−291219
【発明の概要】
【発明が解決しようとする課題】
【０００５】
１．パンゲア大陸が分裂したのは何が原因であったか。
２．パンゲア大陸はどのように分裂したか。
【課題を解決するための手段】
【０００６】
私は、特願2009−165179、において、恐竜を絶滅させた隕石はハドソン湾に落ちた、と考えた。その事により、地球の地形が変化し、バーフィン島、バンクス島、ビクトリア島、クイーンエリザベス諸島、グリーランド、アイスランドができた事を証明した。特願2009−168464、において、恐竜を絶滅させた隕石はハドソン湾に落ちた、と考えた。その事により、地球の地形が変化した。隕石の衝撃波により、デンマーク、イギリス、アイルランド、日本、樺太ができた事を証明した。特願2009−170811、において、ハドソン湾に落ちた隕石の衝撃波は、スカンデイナヴィア半島を作った事を証明した。
今回は、パンゲア大陸が分裂したのは隕石の落下が原因であり、その隕石はメキシコ湾とカリブ海に落下したと考える。
メキシコ湾とカリブ海に落下した隕石の衝撃波は、北アメリカにつながっていたヨーロッパ大陸を分裂させた。そして、南アメリカにつながっていたアフリカ大陸を分裂させた。更に、スエズ運河を作り、アフリカ大陸の東部から東南アジア大陸を分裂させた。
なお、アフリカ大陸の東部から東南アジア大陸は分裂し、離陸したことに関しては、特開2002−291219「パンゲア大陸からの離陸」に記した。
【発明の効果】
【０００７】
パンゲア大陸はメキシコ湾とカリブ海に落下した隕石の衝撃波の力によって分裂した。
メキシコ湾とカリブ海は分裂した場所に近い。この事によって、力は強く作用する。そして、南アメリカからはアフリカ大陸、北アメリカからはヨーロッパ大陸を分裂した。
その次の時代には、スエズ湾を作った衝撃波の力は東南アジアをアフリカから分離した。
【図面の簡単な説明】
【０００８】
【図１】パンゲア大陸を分裂させたのは、メキシコ湾に落下した隕石である。この衝撃波でパンゲア大陸は分裂した。パンゲア大陸を分裂させたのは、カリブ海に落下した隕石である。この衝撃波でパンゲア大陸は分裂した。メキシコ湾とカリブ海は、南アメリカからアフリカ大陸が分裂した場所に近い。それで、隕石が落下した時の衝撃波の力は強く作用した。
【図２】東南アジアはアフリカ大陸の東部から分裂した。
【発明を実施するための形態】
【０００９】
１．パンゲア大陸を分裂させたのは、メキシコ湾に落下した隕石である。この衝撃波でパンゲア大陸は分裂した。メキシコ湾は隕石が落下してできた湾です。メキシコ湾は隕石が落下してできたので、湾の形は丸型になっている。
２．パンゲア大陸を分裂させたのは、カリブ海に落下した隕石である。この衝撃波でパンゲア大陸は分裂した。カリブ海の周囲には、大アンテイル諸島と小アンテイル諸島が存在する。これは、カリブ海の中心に隕石が落ちて、できた島です。
３．メキシコ湾とカリブ海は、南アメリカからアフリカ大陸が分裂した場所に近い。それで、隕石が落下した時の衝撃波の力は強く作用した。
４．メキシコ湾とカリブ海は、北アメリカからヨーロッパ大陸が分裂した場所に近い。それで、隕石が落下した時の衝撃波の力は強く作用した。
５．グリーンランドの東部沿岸線はギザギザになっている。これは、この部分から何かが分裂したことを物語る。スカンデイナヴィア半島の北西部の沿岸線はギザギザになっている。このことから、グリーンランドの東部からスカンデイナヴィア半島は分離した事が理解できる。
６．アイルランド島とグレートブリテン島はグリーンランドの南部から分裂した。
７．フランスの西部とスペインの北部はアイスランドがあった、現在は、ニューファンドランド島の東部から分裂した。
８．アフリカ大陸は、南アメリカから分裂した。
９．バハカルフォルニヤ半島が分裂した。
１０．スエズ湾ができた。
１１．アフリカ大陸の東部に存在したスマトラ半島やジャワ島やボルネオ島やスラウエン島は分裂し、離陸した。
【産業上の利用可能性】
【００１０】
石油の存在する場所が推測できる。
東南アジアに、アフリカと同じ種類の動物が存在する理由が理解できる。
ヨーロッパがどのようにできたのか理解できる。
【符号の説明】
【００１１】
１  メキシコ湾
２  カリブ海  
３  北アメリカの一部
４  南アメリカ
５  アフリカ大陸の一部
６  グリーランド
７  スカンデイナヴィア半島
８  アイルランド島
９  グレートブリテン島
１０  アイスランド
１１  ヨーロッパ大陸
１２  東南アジア
【図１】
2009273361.tif 000003
【図２】
2009273361.tif 000004
(57)【要約】【課題】移動体に電力を供給する方法は電気的接触（電車）方式、平行に張た二本の電線に電流（高周波）流しそれを磁気コアを使用して給電する方式、以上の２方式は移動体と、給電架線、の間隙を保持するため設備が大型化して、大電力用では実用化しているが、中、小電力用のものには、適しない。【解決手段】中、小、の電力電力を電気的に非接触の方式で移動体に移動しながら、又は、停止しても送、受、間の勘合を簡素化する方式の需要が増加している。送、受、間の疎結合、による電力の損失を共振回路により補い、共振回路の（Ｑ）を制御して、供給電力を制御する。これを実行すれば、移動体に、移動しながら、停止しても、送受間の結合を機構的に簡化できる。送受間の通信連絡も不要となり、簡易型で、廉価の、移動対に電力を供給できる装置を製作できる。【選択図】図１
2009273342.tif 000002
【特許請求の範囲】
【請求項１】
電動機を動力源とする移動体の電源であるバッテリーを充電するとき、移動体を移動しながら充電する方法。
【請求項２】
電動機を動力源とする移動体の電源であるバッテリーを充電するとき、商用電源からコンバータを使用して高周波に変換した後、電磁結合器を使用して電気的に非接触で、移動体に搭載しているバッテリーを充電する方法。
【請求項３】
電磁結合器を使用して電気的に非接触で充電するとき共振回路を利用して電力を調節するため共振回路の（Ｑ）を可変する方法。
【発明の詳細な説明】
【技術分野】
【０００１】移動体に給電する装置は移動体を停止させて電気的に回路を接続して給電する方法、と電磁誘導を応用して電気的に非接触で充電する方法がほぼ実用化されている。
【背景技術】
【０００２】しかし双方とも、固定側と移動側の勘合部分の精度をだすため機構が複雑となり装置の価格が上昇する。信頼性も低下する。特に電気的接続方式は火災等の危険度が増加する。電磁誘導方式は、電磁結合器の勘合が悪いと伝達電力が極端に低下する。双方とも移動体を停止して送受間を結合しなければならず作業上の時間の損失が発生する。
【発明の開示】
【発明が解決しようとする課題】
【０００３】電気的接続は考慮せず、電磁誘導により移動体に給電する方法を改善して従来の問題点を改善することとする。【０００４】電磁誘導方式も磁気コアの勘合が悪いと電力の伝送が距離自乗に反比例して少なくなる。又完全に停止しないと給電することができない。生産現場ではタクト、システムが必要となり生産効率が低下する。
【課題を解決ための手段】
【０００５】電磁誘導方式で勘合が疎結合でも伝送能力を増す方法として受電側のコイルに共振用のコイルを追加して共振回路を作動させて、疎結合でも強力な電力を伝送できる。このことは電磁結合部を固定しなくてもよくなり移動しながら移動体に給電できることになる。
【発明の効果】
【０００６】送受電磁結合器の勘合の精度が必要不要となり装置が簡略化され設備費、保守費用が廉価となる。
共振回路は適切に制御しないとエネルギが強大になり回路部品に損傷を与える。
【発明を実施するため最良の形態】
【０００７】          本発明を［図  １］を用いて説明する。商用電源を高周波発振器で２５ｋＨｚの高周波に変換する。その高周波電流を平行に巻かれた送電コイルに通電する。これは固定されている。移動体に取り付けた受電コイルは送電コイルに対して平行移動する。受電コイルには共振コイル、と電力を取り出すピックアップコイルを巻いてある。共振コイルはコンデンサーと抵抗器で直列共振回路として作動する。ピックアップ、コイルは必要な電圧を出力してそれを整流して直流出力となり、バッテリーを充電する。
又、負荷の電圧、電流、を検出して共振（Ｑ）の制御部にフィードバックして必要とする電力を得るように調整する。Ｑ＝ωＬ／Ｒにて抵抗を調節する。
負荷の電力を調整する方式は、次の二方式がある、発振周波数を変えて共振特性のスロープを変える方式があるが、固定してある、高周波電源に、フィードバック、することは無線信号による必要があり安定度が低下する（混信等）により。次に、整流後に安定化電源を搭載する、方式は効率の低下、形状の大型化、コスト上昇で不利である。
【実施例】
【０００８】本発明の実施例を［図  １］を用いて説明する、商用電源を高周波電源（２５ＫＨｚ）に変換して長円形に設置した送電コイルに通電する。受電コイルは送電コイルとの間隙を約１０ｍ／ｍ保つて平行移動する。そして負荷が要求する電力を共振回路の（Ｑ）を調整しながら適切に出力する。送受の関係は送から受への一方通行である。
【産業上の利用可能性】
【０００９】移動体の電源はバッテリーで有り充電が必要である。装置が廉価で信頼性があれば各方面で電動機を動力とする移動体が、普及するであろう。自動車も小型車は完全に電動化すれば、充電スタンドガ必要となる。本発明を利用した充電スタンドをつくれば、簡単に設置できる。従来方式では装置の価格が高価で有り、なおかつ、設置場所が限定された。
【図面の簡単な説明】
【００１０】
【図１】  商用電源２００Ｖはノイズフィルターを介して整流平滑される。その直流電源で高周波（２５ＫＨｚ）を発振、増幅する。電流制限回路当により、制御回路が動作する、その出力は絶縁トランスで適切なで電圧に変換されて送電コイルに供給される。受電コイルは送電コイルに対してと平行移動しながら高周波電力を供給される。充電コイルは、Ｐ．Ｕ．コイルに高周波電力を出力する、それを整流して負荷に供給する。電圧検出と負荷の要求する電圧とを比較した信号で共振回路の（Ｑ）を、制御して適切な電力を負荷に供給する。
【図１】
2009273342.tif 000003
(57)【要約】【課題】北アメリカのどこかに隕石が落ち、恐竜は絶滅したと考えられている。どこに隕石は落ちたか。【解決手段】カナダ楯状地のハドソン湾がへこんでいるのは、この部分に隕石が落ちたからです。隕石が落ちたので、ハドソン湾に存在していたカナダ楯状地は移動し、バッフィン島ができた。この時、ハドソン湾の北部に亀裂が生じ、バンクス島、ビクトリア島、クイーンエリザベス諸島ができた。この時、ハドソン湾の北東部のカナダ楯状地は、亀裂し、北東に移動し、グリーンランドのカナダ楯状地になった。ハドソン湾に隕石が落ちた事により、北アメリカの地形に亀裂ができ、川ができ、谷ができた。【選択図】図2
2009273358.tif 000002
【特許請求の範囲】
【請求項１】
カナダ楯状地は、地形的に凹凸の少ない広大な面積を占める安定地塊を作っている。それなのに、ハドソン湾の部分だけはポツリと穴があいている。これは、この部分が何かによって、穴をあけられた証拠です。
【請求項２】
カナダ楯状地に、穴をあけた物質はとても強力な力で穴をあけた。
とても強力な力で、カナダ楯状地に穴をあけたのは、隕石である。
【請求項３】
隕石がカナダ楯状地に穴をあけ、ハドソン湾にした。そこに存在していた楯状地を移動させた。移動した楯状地はバッフィン島になった。
バッフィン島のどの部分がハドソン湾のどの部分であったか。
この事は、ハドソン湾の地形と、バッフィン島の地形をパズルで照合する事によって証明できる。
ハドソン湾の楯状地がバッフィン島になったことを証明するパズルを図示する。
【請求項４】
ハドソン湾は隕石の衝突によりできた。ハドソン湾に存在していたカナダ楯状地は移動し、バッフィン島になった。
この時、ハドソン湾の北部に亀裂が生じ、北に移動し、バンクス島、ビクトリア島、クイーンエリザベス諸島ができた。
この時、ハドソン湾の北東部のカナダ楯状地は、亀裂し、北東に移動し、グリーンランドのカナダ楯状地になった。
【請求項５】
隕石が落ちる以前、カナダ楯状地は１つにまとまっていた。
【請求項６】
ハドソン湾に隕石が落ちた事により、北アメリカの地形に亀裂ができ、川ができ、谷ができた。
【発明の詳細な説明】
【技術分野】
【０００１】
本発明は、恐竜を撲滅させた隕石はどこに落ちたかに関するものである。
【背景技術】
【０００２】
北アメリカのどこかに隕石が落ち、恐竜は絶滅したと考えられている。
【０００３】
しかし、どこに落ちたかは確定されていない。
【先行技術文献】
【非特許文献】
【０００４】
「詳解地学」  奈須紀幸、小尾信彌  共著
【発明の概要】
【発明が解決しようとする課題】
【０００５】
解決しようとする問題点は、恐竜を撲滅させた程の大きい隕石はどこに落ちたかについてです。
【課題を解決するための手段】
【０００６】
カナダ楯状地は先カンブリア時代に存在していた物で、1つにまとまっていたと考える。
その中央であるハドソン湾にポッカリ穴があいている。この穴は、強力な力によりあけられた。この穴は隕石が落ちてあけられたものです。
隕石が落ちた衝動により、1つのプレートであったカナダ楯状地に亀裂が生じ移動した。
ハドソン湾の部分のカナダ楯状地は、バフィーン島になった。
北部のカナダ楯状地は、亀裂し、北に移動し、バンクス島、ビクトリア島、クイーンエリザベス諸島になった。
北東部のカナダ楯状地は、亀裂し、北東に移動し、グリーンランドのカナダ楯状地になった。
【発明の効果】
【０００７】
恐竜を撲滅させた隕石は、現在、ハドソン湾になっている場所に落ちた。隕石が落ちて、移動した楯状地は、現在、バフィーン島になっていることがパズルによって証明できる。
そして更に、ハドソン湾の周辺は海抜が低い事によっても証明できる。
この発明によって、北アメリカの地形がどのようにできたのか、理解できる。
北部のカナダ楯状地は、亀裂し、北部に移動し、バンクス島、ビクトリア島、クイーンエリザベス諸島になった。
北東部のカナダ楯状地は、亀裂し、北東に移動し、グリーンランドのカナダ楯状地になった。
隕石が落ちる以前、カナダ楯状地は１つにまとまっていた。
この発明によって、石油がどこに存在するかの指標になる。
【図面の簡単な説明】
【０００８】
【図１】図１はカナダ楯状地を示す。
【図２】図２はハドソン湾に隕石が落ち、その部分の楯状地が移動し、バッフィン島になった、パズルの1例を示す。
【図３】図3は北部のカナダ楯状地は、亀裂し、バンクス島、ビクトリア島、クイーンエリザベス諸島になったことを示す。北東部のカナダ楯状地は、亀裂し、北東に移動し、グリーンランドのカナダ楯状地になったことを示す。隕石が落ちる以前、カナダ楯状地は1つにまとまっていた。その頃のカナダ楯状地を示す。
【発明を実施するための形態】
【０００９】
１．  カナダ楯状地は、地形的に凹凸の少ない広大な面積を占める安定地塊を作っている。それなのに、ハドソン湾の部分だけがポツリと穴があいている。これは、この部分が何かによって、穴をあけられた証拠です。
２．カナダ楯状地に、穴を開けた物質はとても強力な力で穴をあけた。
とても強力な力で、カナダ楯状地に穴をあけたのは、隕石である。
３．隕石がカナダ楯状地突っ込み、ハドソン湾にした。そこに存在していた楯状地を移動させた。移動した楯状地はバッフィン島になった。
バッフィン島のどの部分がハドソン湾のどの部分であったか。
この事は、ハドソン湾の地形と、バッフィン島の地形をパズルで照合する事によって証明できる。
ハドソン湾の楯状地がバッフィン島になったことを証明するパズルの１例を図示する。
４．ハドソン湾が隕石の衝突によりでき、カナダ楯状地に穴をあけた。その部分の楯状地は移動し、バッフィン島になった。
この時、ハドソン湾の北部に亀裂が生じ、北に移動し、バンクス島、ビクトリア島、クイーンエリザベス諸島ができた。
この時、ハドソン湾の北東部のカナダ楯状地は、亀裂し、北東に移動し、グリーンランドのカナダ楯状地になった。
５．隕石が落ちる以前、カナダ楯状地は１つにまとまっていた。
６．ハドソン湾に隕石が落ちた事により、北アメリカの地形に亀裂ができ、川ができ、谷ができた。
【産業上の利用可能性】
【００１０】
この発明によって、北アメリカの地形がどのようにできたのか、推測できる。
石油がどこに存在するかの指標になる。
【符号の説明】
【００１１】
１    カナダ楯状地
２    パズル２
３    パズル３
４    パズル４
５    パズル５
６    パズル６メルビル半島
７    パズル７サウザンプトン島
【図１】
2009273358.tif 000003
【図２】
2009273358.tif 000004
【図３】
2009273358.tif 000005
(57)【要約】【課題】トイレットロールペーパーを電動モーターを使って、自動で紙を送り出し、スライドボタンを押し下げて紙を切る、ほとんど力の要らない指一本で操作できる、トイレットペーパーホルダーを提供する。【解決手段】電動モーターを使い、紙を動力回転ゴム棒とバネ付回転ゴム棒で挟んで回転させながら紙を送り出す。出てきた紙は、バネ付ゴム棒同士で挟み引き下げれば、切断刃で紙が切れる。ほとんど力が要らないので身体の不自由な人でも指一本で操作が出来る。【選択図】図１
2009061239.tif 000002
【特許請求の範囲】
【請求項１】
家庭用電気モーターか、又は乾電池電動モーターを使い、本体と上フタの組み合わせにして、動力回転ゴム棒と、バネ付回転ゴム棒でロールペーパーを挟み、紙を送り出すものである。
【請求項２】
送り出された紙は、紙受けケースの中に、送り出される力により、ケースの両壁に当たりながら、屏風たたみのように収まるケースである。
【請求項３】
出てきた紙は、下のバネ付ゴム棒と、上のバネ付ゴム棒の間にあり、上のバネ付ゴム棒をスライドボタンで、下へスライドすれば紙が引っ張られて切断刃に当たり、紙が切れるものである。電動スタートボタンを押し、スライドボタンを押し下げるだけのものなので、指一本で操作が出来るトイレットペーパーホルダーである。
【発明の詳細な説明】
【技術分野】
【０００１】本発明は、スタートボタンを押せば自動で紙が出て、スライドボタンを押し下げれば紙が切れるトイレットペーパーホルダーである。
【背景技術】
【０００２】従来は、電動モーターを使った、紙出しトイレットペーパーホルダーはなかった。
【発明の開示】
【発明が解決しようとする課題】
【０００３】紙の切れ端を捜して引き出したり、紙をたぐり寄せたり、紙を切ったりするのが、両手の操作によるものが多く大変だった。本発明は、これらの操作を片手指一本で操作できるように考えられたものである。
【課題を解決するための手段】
【０００４】紙を引き出すのに電動モーターを使用し、本体と上フタの組合せにして、上フタを本体に止めれば動力回転ゴム棒や、バネ付ゴム棒などが紙を挟んで、紙送りや紙切ができ、紙はケースに収まるようにした。
【発明の効果】
【０００５】モータースイッチを押すと紙が出る、もう一度押すと止まり、スライドボタンを下に押すと紙が切れるので、身体の不自由な人でも指一本で操作できる。
【発明を実施するための最良の形態】
【０００６】トイレットロールペーパーを下向きにセットして、初めだけ少し先を出し上フタを本体に止めれば、紙が挟まれ操作できる。
【実施例】
【０００７】ペーパーホルダー内にロールペーパー３を入れ初めだけ少し紙を出し、上フタ２を上フタ止め６に留める。すると動力回転ゴム棒１０と上フタのバネ付回転ゴム棒１１が紙を押さえる、電源スイッチ４を入れればモーター７のベルト８により動力回転ゴム棒１０が回転して紙が出てくる。図２出てきた紙は紙受け９に入り、紙が送られてくる力で紙受け壁に当たりながら、屏風たたみのように収まる。図３紙を切るのは、本体のバネ付ゴム棒１２と上フタのバネ付ゴム棒１３の間に紙があるので、上フタのバネ付ゴム棒をスライドボタン１５で下に押し下げれば、紙は引っ張られて切断刃１４に当たり切れる。図３紙は動力回転ゴム棒とバネ付回転ゴム棒で押さえられているため、軽い力で切れる。
【図面の簡単な説明】
【０００８】
【図１】本発明の立面図である。
【図２】本発明の図１の１０動力回転ゴム棒周辺拡大図である。
【図３】本発明の側面図である。
【符号の説明】
【０００９】１    本体
２    上フタ
３    ロールペーパー
４    電源スイッチ
５    乾電池
６    上フタ止め
７    モーター
８    ベルト
９    紙受け
１０  動力回転ゴム棒
１１  バネ付回転ゴム棒
１２  本体バネ付ゴム棒
１３  上フタバネ付ゴム棒
１４  切断刃
１５  スライドボタン
【図１】
2009061239.tif 000003
【図２】
2009061239.tif 000004
【図３】
2009061239.tif 000005
(57)【要約】【課題】  傘を閉じても濡れた傘地ははだけていて、素手でたたまなければならなかった。そうした手間をわずらわせない傘をつくるのが目的である。【解決手段】  これまで直線であった親骨をつる状に湾曲させることで傘を閉じると同じに傘地をたためるようにした。【選択図】図１
2009061237.tif 000002
【特許請求の範囲】
【請求項１】
つる状に湾曲した親骨（１）を柄軸（２）に付けた傘。
【発明の詳細な説明】
【発明の詳細な説明】
【あらまし】
この発明は、柄軸につる状に巻きつくように湾曲した親骨を付けることで、手をわずらわせずに傘地を折りたたむことのできる傘であり、その湾曲した親骨からなる形状がファッション性を有する傘である。
【従来の欠点】
従来の傘は，親骨が直線であったため，傘をたたんでも傘地まではたためず、濡れた傘地を素手でたたむ必要があり不快感があった。
【構成】
本発明は、この欠点を無くすために、従来の直線であった親骨を改め、柄軸を中心につる状に巻きつくように形成された親骨を付けた傘である。親骨の付け根から先端までのねじれ具合は３６０度を越えなければ無理なく開閉できる。
【作用・効果】
本発明は以上のような構成であるため、傘を閉じるとつる状に湾曲した親骨は隣接する傘地をからめとる効果が生じる。この結果、濡れた傘地を素手でたたむ必要がなくなった。また、傘が開いた形状はつる状に湾曲した親骨が弧を描き、従来にないファッション性を有している。
【図面の簡単な説明】
【図１】本発明の閉じた状態
【図２】本発明の開いた状態
【符号の説明】
（１）はつる状に湾曲した親骨（２）は傘地（３）は柄軸
【図１】
2009061237.tif 000003
【図２】
2009061237.tif 000004
(57)【要約】【課題】    従来のスリッパは、足の甲が固定される状態でスリッパを履く構造であるため、足指自体はほとんど動く事が無く、その結果、足指の冷えを招いたり、更には第一指等を元の位置に戻す動きもほとんど無いため、足指に力が入らないスリッパであった。【解決手段】    足指の第一指は鼻緒部材（２）、第二指は鼻緒部材（３）、第三指は鼻緒部材（４）、第四指は鼻緒部材（５）及び第五指は鼻緒部材（６）をそれぞれ挟んで保持し、足の指のみでスリッパを履くため、足指に力が必要となり、足指の運動量が増えるため、健康増進を図る事が出来る。【選択図】図１
2009061240.tif 000002
【特許請求の範囲】
【請求項１】
足指の第一指は鼻緒部材（２）、第二指は鼻緒部材（３）、第三指は鼻緒部材（４）、第四指は鼻緒部材（５）及び第五指は鼻緒部材（６）をそれぞれ挟んで保持し、足の指のみで履く事を特徴とする足指スリッパ（１）。
【請求項２】
足指の第一指は鼻緒部材（２）、第三指は鼻緒部材（４）及び第五指は鼻緒部材（６）をそれぞれ挟んで保持し、足の指のみで履く事を特徴とする足指スリッパ（１）。
【請求項３】
足指の第一指は鼻緒部材（２）及び第五指は鼻緒部材（６）をそれぞれ挟んで保持し、足の指のみで履く事を特徴とする足指スリッパ（１）。
【発明の詳細な説明】
【技術分野】
【０００１】  本発明は、足指が鼻緒部材のみを挟んで保持し、足指のみで履く足指スリッパに関する。
【背景技術】
【０００２】  従来のスリッパやサンダル等は、履いた時に足指の第一指と第二指との間にある鼻緒部材を挟み、該鼻緒部材から足の外側に伸びたバンドいわゆるストラップや第一指から第五指までを包み込んで足の甲を固定するバンド等で足の甲にてスリッパが脱げないように保持されている。
また足の指五本を独立させて鼻緒部分が確実に足の指の間に入れて指を広げて履く五本指スリッパが知られている。
【発明の開示】
【発明が解決しようとする課題】
【０００３】  しかしながら、従来のスリッパは、先述の足の甲が固定される状態でスリッパを履く構造であるため、足指自体はほとんど動く事の無いものであった。【０００４】  このため、足指の冷えを招いたり、第一指等を元の位置に戻す動きがほとんど無いため、足指に力が入らないものであった。
なお足の指五本を独立させて鼻緒部分に指を挿入し、リラックスを目的とした五本指スリッパにはストラップがあるため、そのストラップにより足の甲を保持し、スリッパから抜けないようにする事が必須条件であった。これであると、指自体はリラックスするばかりで、指に力を入れたりする運動が出来ないものであった。
本発明の目的は、これら従来の課題を解決し、足指を動かす事により、内臓活動を活発にし、健康増進を図る事が可能な足指スリッパを提供出来るようにする。
【課題を解決するための手段】
【０００５】  上記課題を解決するために本発明は、足指の第一指は鼻緒部材（２）、第二指は鼻緒部材（３）、第三指は鼻緒部材（４）、第四指は鼻緒部材（５）及び第五指は鼻緒部材（６）をそれぞれ挟んで保持し、足の指のみで履く事を特徴とした足指スリッパである。
【発明の効果】
【０００６】  本発明の足指スリッパは、以上のような構成であるため、足指間のツボを押して刺激し、毛細血管の活動を活発にして足の血行を良くするため、足指や足先の冷え等の緩和が期待出来る。
歩行時、足裏がスリッパから離れるのを防ごうと足指に力が入るため、運動能力が高まり、加えて第一指を元に戻そうとする動きが生じるので、外反母趾の予防や矯正にも効果的である。
又、素足で遊ぶ機会が減って足指に力が入らない子供が多いが、子供達の足指の力をつけるのに役立つものとなる。
本発明の足指スリッパは、裸足で砂浜を歩く感覚に近く、これは足指で砂を踏みしめ掴みながら、足指の筋力を鍛えるという仕組みであり、鼻緒部材を各足指同士が挟む形となり、安定や安心感を与えるものとなる。
又、最近多い、エコノミー症候群を予防するにも最適な履物となる。
副次的効果として、例えば鼻緒部材に水虫治療薬を染み込ませて履く事で治療効果を高める事が出来る優れたものとなる。
また五本指スリッパと違い、本発明の足指スリッパはストラップが無いため、指先のみで鼻緒部分を挟んでスリッパを履き、歩行しなければならず、履けば足の甲がスリッパ本体から離れて足指のみで保持されるという不安定になるがために指先が鍛えられる効果が生まれるものである。
【発明を実施するための最良の形態】
【０００７】  本発明でいうスリッパとは、サンダル等の履物の事であり、その形状、大きさ、デザイン、構造、材質又は製造方法等は特に限定される事はない。
又、鼻緒部材も同様に、その形状、大きさ、デザイン、構造、材質又は製造方法等は特に限定される事はない。
【実施例】
【０００８】  以下、本発明の一実施例を、図１及び図２で説明するがこれによって本発明はなんら限定されるものでは無い。【０００９】  図１はスリッパの足指が乗る位置に、第一指から第五指までのそれぞれの指で挟む鼻緒部材（２）から（６）までが形成されている本発明の一例を示したものである。これだと第一指、第二指、第三指、第四指及び第五指まで全ての指先で鼻緒部材（２）、（３）、（４）、（５）及び（６）を挟む事となり、通常の歩行の際に脱げづらいものと出来る。
図２は、図１と比べるとわかるように、鼻緒部材（２）、（４）及び（６）のみ、つまり第一指、第三指及び第五指のみで挟む形のものであるため、履きやすく、製造コストも抑える事が出来、更には歩行時に脱げやすいため、足指に更に力が必要となり、足指の運動量が増えるため、健康増進を更に図る事が出来るものとなる。もちろん、鼻緒部材（２）及び（６）のみからなる本発明の足指スリッパであればこの効果が更に高まるのは言うまでもない。
【産業上の利用の可能性】
【００１０】  スリッパにおいて、足の甲が固定されて履かず、鼻緒部材を足指のみで挟んだスリッパを履く事になるため、歩行時、足指に力が必要となり、足指や足の冷えの予防、運動能力のアップ、外反母趾の予防や矯正、更にはエコノミー症候群の予防効果が期待出来る優れたスリッパとなる。
【図面の簡単な説明】
【００１１】
【図１】  本発明の一例を示す斜視図である。
【図２】  本発明の一例を示す斜視図である。
【符号の説明】
１  足指スリッパ  ２、３、４、５及び６  鼻緒部材
【図１】
2009061240.tif 000003
【図２】
2009061240.tif 000004
(57)【要約】【課題】ゴム手袋を使用した後は、濡れてたり、汚れてたりで置く場所に困っていた。【解決手段】クリップに針金を付ける。【選択図】図１
2009061235.tif 000002
【特許請求の範囲】
【請求項１】
ゴム手袋を手軽に干すことでき、かつ小さなスペースに収納できることを特徴とする収納クリップ。
【請求項２】
前記、収納クリップは、クリップに付いた針金を自由に好きなところに設置できることを特徴とする請求項１記載の収納クリップ。
【発明の詳細な説明】
【技術分野】
【０００１】  この発明は、ゴム手袋の収納に関する。
【背景技術】
【０００２】  従来、ゴム手袋は使用後、台所や掃除場などでバケツや炊事場などにかけたりしている。
【発明の開示】
【発明が解決しようとする課題】
【０００３】  しかしながら、以上の技術によれば、水に濡れたり汚れたゴム手袋を放置し、乾きにくく、非衛生的、場所をとるなどの不都合があった。
そこで、この発明は、ゴム手袋を手軽に省スペースに収納でき、かつ衛生的なことを提供することを課題とする。
【課題を解決するための手段】
【０００４】  以上の課題を解決するために、第一発明は、クリップに針金を設けたことを特徴とする収納クリップである。
また、第二発明は、その針金を好きな場所に取り付けられ、収納場所を作れることを特徴とする収納クリップである。
【発明の効果】
【０００５】  第一発明、または第二発明によれば、クリップに針金を付けたので、台所や掃除用具入れなどの好きな場所に、針金を巻きつけ、収納場所をつくれるので、ゴム手袋を手軽に収納できる。
【発明を実施するための最良の形態】
【０００６】  この発明の一実施形態を、図１に示す。
クリップはプラスチック製であり、このクリップにはプラスチックコーティングのしてある針金が通してある。【０００７】「実施形態の効果」
この実施形態によれば、クリップは、色々な所に取り付けることができ、ゴム手袋を収納でき、また、他の物体に接触することなく、衛生的に乾かすことができる。
【図面の簡単な説明】
【０００８】
【図１】この発明の一実施形態を示す斜視図である。
【図２】未使用時を示す視線図である。
【符号の説明】
【０００９】１  クリップ
２  針金
３  引っ掛けるもの
【図１】
2009061235.tif 000003
【図２】
2009061235.tif 000004
(57)【要約】      （修正有）【課題】通気穴を設けたことで喋るとき唾が飛ばない，発音がこもらず正しく聞こえる自然に近い義歯を提供する。【解決手段】総義歯１の，義歯２と義歯２の隙間に通気穴３を設け，通気性をもたらしたことが特徴とする。【選択図】図１
2009061242.tif 000002
【特許請求の範囲】
【請求項１】
総義歯▲１▼の，義歯▲２▼と義歯▲２▼の隙間に通気穴▲３▼を設けた自然風義歯。
【発明の詳細な説明】
【発明の詳細な説明】
【産業上の利用分野】
【０００１】  この発明は，総義歯の，義歯と義歯の隙間に通気穴を設けた自然風義歯に関するものである。
【背景技術】
【０００２】  従来の総義歯は，義歯と義歯の隙間に通気穴が無かった。
【発明が解決しようとする課題】
【０００３】  これは次のような欠点があった。
自然の歯は，歯と歯の隙間に通気性があるが従来の義歯には通気性が無いために喋るときに出る空気が上の歯と下の歯の間から全部出ることになり，その分空気の勢いが強くなるので，唾も飛ばされて出る，発音も自然の歯の時とは違い，こもって聞こえる。
本発明は，これらの欠点を除くために通気穴▲３▼を設けたものである。
【課題を解決するための手段】
【０００４】  総義歯▲１▼の，義歯▲２▼と義歯▲２▼の隙間に通気穴▲３▼を設けたことで，自然に近い状態になり，喋るとき唾が飛ばない，発音がこもらず正しく聞こえる。
本発明は，以上のような構成よりなる自然風義歯である。
【発明を実施するための最良の形態】
【０００５】  総義歯▲１▼を口の中に入れ，良く固定させてから喋ることで，通気穴▲３▼から敵度の空気が出るので，その分上の歯と下の歯の間から出る空気の勢いが弱まるため空気調整が出来るので唾が飛ばない，発音もこもらず正しく聞こえる。
【発明の効果】
【０００６】      従って，通気穴▲３▼から敵度の空気が出るので，唾が飛ばず発音も正しく聞こえ，きわめて自然の歯に近い義歯である。
【図面の簡単な説明】
【図１】  本発明の立体図である。
【図２】  本発明の拡大図である。
【符号の説明】
▲１▼総義歯，▲２▼義歯，▲３▼通気穴
【図１】
2009061242.tif 000003
【図２】
2009061242.tif 000004